(57)【要約】フィンガレバー、プレートシリンダ、プロファイルシリンダ、プロファイルハーフシリンダなど、さまざまな閉鎖要素（１４）のための、枢動レバー（１０）を凹部（３０）にロックするためのモジュール式閉鎖装置が説明される。閉鎖要素（１４）は、凹部（３０）または枢動レバー（１０）に配置されたレセプタクル（５０）に、前方または後方のどちらか一方から、挿入および固締（４９）可能であり、閉鎖装置は、さまざまなレセプタクル（５０）のために異なるデザインを有する、閉鎖装置に適合化された交換可能インサート（１８）を有し、閉鎖装置は、交換可能インサート（１８）を凹部（３０）または枢動レバー（１０）に挿入（４６）できるように、および交換可能インサート（１４）が挿入された凹部（３０）または枢動レバー（１０）をドア扉に、ドア扉の開口部またはこれに類するものを通して、差し込めるように、更にはキャップ（１２）によって固締（４９）できるように、ガイド（４６）と連携することを特徴とする。【選択図】図１
2020517845.tif 000002
【特許請求の範囲】
【請求項１】
フィンガレバー、プレートシリンダ、プロファイルシリンダ、プロファイルハーフシリンダなど、さまざまな閉鎖要素（１４）のための、枢動レバー（１０）を凹部（３０）にロックするためのモジュール式閉鎖装置であって、前記閉鎖要素（１４）は前記凹部（３０）または前記枢動レバー（１０）に配置されたレセプタクル（５０）に、前方または後方のどちらか一方から、挿入および固締（４９）可能である、閉鎖装置において、前記閉鎖装置は、さまざまなレセプタクル（５０）のために異なるデザインを有する、前記閉鎖装置に適合化された交換可能インサート（１８）を有し、前記閉鎖装置は、前記交換可能インサート（１８）を前記凹部（３０）または前記枢動レバー（１０）に挿入（４６）できるように、および前記交換可能インサート（１４）が挿入された前記凹部（３０）または前記枢動レバー（１０）をドア扉に、前記ドア扉の開口部またはこれに類するものを通して、差し込めるように、更にはキャップ（１２）によって固締できるように、ガイド（４６）と連携することを特徴とする、モジュール式閉鎖装置。
【請求項２】
さまざまな閉鎖要素（１４）のためのモジュール式閉鎖装置のための交換可能インサート（１８）であって、前記閉鎖装置の表面（２２）に固定的に取り付けられた、したがって常にこれと共に交換される必要がある、レバーフック（２０）を特徴とし、前記閉鎖装置の前記表面（２２）は、対向閉鎖面（４０）と共に前記レバー（２２）を閉じ、前記閉鎖装置の前記表面（２２）は、前記閉鎖要素（１４）が前記レバーフック（２２）を作動させるように、ひいては前記レバー（３６）を解放するように、開かれ、前記レバーフック（２２）は脚ばね（２６）によって開始位置に戻されるので、前記閉鎖要素（１４）の更なる作動なしに、前記レバー（４０）が再び閉じられる、請求項１に記載の交換可能インサート。
【請求項３】
さまざまな閉鎖要素（１４）のためのモジュール式閉鎖装置のための交換可能インサートであって、前記閉鎖装置の表面に固定的に取り付けられた、したがって常にこれと共に交換される必要がある、レバーフックを特徴とし、前記閉鎖装置の前記表面は、対向閉鎖面と共に前記レバー（４０）を閉じ、前記閉鎖装置の前記表面は、前記閉鎖要素（１４）が前記レバーフック（２６）を作動させるように、ひいては前記レバー（４０）を解放するように、開かれ、前記閉鎖要素（１４）の更なる作動によって前記レバーフック（４０）が再び閉じられる、請求項１に記載の交換可能インサート。
【請求項４】
前記キャップ（１２）は前記凹部（３０）を前記ドア扉に固締する役割も果たすことを特徴とする、請求項１に記載の交換可能インサート。
【発明の詳細な説明】
【技術分野】
【０００１】
本発明は、フィンガレバー、プレートシリンダ、プロファイルシリンダ、プロファイルハーフシリンダなど、さまざまな閉鎖要素のための、枢動レバーを凹部にロックするためのモジュール式閉鎖装置であって、閉鎖要素を凹部または枢動レバーに配置されたレセプタクルに、前方または後方のどちらか一方から、挿入および固締可能である、モジュール式閉鎖装置に関する。
【背景技術】
【０００２】
保管および製作コストを簡素化するために、枢動されるレバー構造ができるだけ少なくて済むこと、および、異なる種類のプロファイルシリンダまたはプロファイルハーフシリンダなどの閉鎖要素ごとに別個の凹部または別個の制御部を設けないことが望ましい。
【発明の概要】
【課題を解決するための手段】
【０００３】
１つの解決策は、さまざまなレセプタクルのために異なるデザインを有する、閉鎖装置に適合化された交換可能インサートを有する閉鎖装置をガイドと連携させることによって、交換可能インサートを凹部または枢動レバーに挿入できるように、および交換可能インサートが挿入された凹部または枢動レバーをドア扉に、このドア扉の開口部またはこれに類するものを通して、差し込めるように、更にはキャップによって固締できるように、することである。これにより、所望の閉鎖システムの対応するレセプタクルを有する交換可能インサートを枢動レバーまたは凹部に、前方または後方から、交換可能に挿入して枢動ハンドルまたは凹部に取り付けることができる。
【０００４】
本発明の別の展開によると、上記種類によるさまざまな閉鎖システムのためのモジュール式閉鎖装置のための交換可能インサートであって、この交換可能インサートは、閉鎖装置の表面に固定的に取り付けられた、したがって、常にこれと共に交換する必要がある、レバーフックを特徴とし、閉鎖装置の表面は、対向閉鎖面と共にレバーを閉じ、閉鎖装置の表面は、閉鎖要素がレバーフックを作動させるように、ひいてはレバーを解放するように、開かれ、レバーフックは脚ばねによって開始位置に戻されるので、閉鎖要素の更なる作動なしに、レバーが再び閉じられる、交換可能インサートが提供される。
【０００５】
ただし、代わりに、上記種類によるさまざまな閉鎖要素のためのモジュール式閉鎖装置のための交換可能インサートであって、この交換可能インサートは、閉鎖装置の表面に固定的に取り付けられた、したがって常にこれと共に交換する必要がある、レバーフックを特徴とし、閉鎖装置の表面は、対向閉鎖面と共にレバーを閉じ、閉鎖装置の表面は、閉鎖要素がレバーフックを作動させるように、ひいてはレバーを解放するように、開かれ、閉鎖要素の更なる作動によってレバーフックが再び閉じられる、交換可能インサートを提供することも可能である。
【０００６】
図面に示されている複数の例示的実施形態によって、本発明をより詳細に説明する。
【図面の簡単な説明】
【０００７】
【図１】本発明によるモジュール式閉鎖装置の一実施形態の分解図を示す。
【図２Ａ】図１の構成要素から組み立てられた枢動レバー閉鎖装置を示す。
【図２Ｂ】図２ＡのＡ−Ａ線に沿った断面図を示す。
【図２Ｃ】図２Ｂの領域Ｂの２倍拡大図を示す。
【図３Ａ】図２Ａの枢動レバー閉鎖装置の正面図を示す。
【図３Ｂ】図３ＡのＣ−Ｃ線に沿った断面図を示す。
【図３Ｃ】図３Ｂの領域Ｄの２倍拡大図を示す。
【図４】図１の枢動レバー閉鎖装置の背面の下側部分の斜視図を示す。
【発明を実施するための形態】
【０００８】
図１では、レセプタクル５０を有する交換可能インサート１８で構成された、本発明による枢動レバー１０を分解図で見ることができる。図１に背面から示されている閉鎖要素１４は、レセプタクル５０に挿入可能である。その後、レセプタクルと閉鎖要素との組み合わせは、ガイド４６を介して凹部３０に挿入可能である。その後、交換可能インサート１８は、据付開口部を介してリアキャップ１２によって、および２つのネジ４９によって、固定される。この２つのネジ４９は、交換可能インサート１８によって閉鎖要素１４に沿って形成された２つの支持部５３にねじ込み可能である。閉鎖要素１４は、ネジ１６によって、交換可能インサート１８に固定される。加えて、交換可能インサート１８にはレバーフック２０も存在する。レバーフック２０は、閉鎖面２２を介して、レバー３６に引っ掛かる。レバー３６には対向閉鎖面４０もある。レバーフック２０は、レバー３６の開放を防止する。図２Ｃも参照されたい。図２Ｃは、ピン２４の形態のシャフトを中心に枢動可能なレバーフック２０を示している。レバー３６の開放は、閉鎖要素１４の作動時にのみ成功する。閉鎖要素１４は、図２Ｂにロックシリンダ１４として示されており、その摘み５２によってレバーフック２０を作動させる。したがって、レバー３６が解放されるので、このレバー３６を脚ばね４８によって、レバー３６がそこを中心に枢動できる、脚ばね４８に通されたピン３２を中心に折り畳むことによって、開放できる。
【０００９】
脚ばね２６はレバーフック２０を再び開始位置に戻すので、閉鎖要素１４の更なる作動なしに、レバー３６を閉じることができる。図２Ｃを参照されたい。上記の機構は、交換可能インサート１８にのみ存在する。
【００１０】
交換可能インサート１８内のレセプタクルを異なる閉鎖要素を有するレセプタクルに交換することによって、閉鎖装置をさまざまな用途に適合化できる。この目的のために、図２Ｂに参照符号１８で示されている構成要素である交換可能インサートのみを、レバーフック２０および閉鎖要素１４と共に、交換する必要がある。
【００１１】
ローレットピン３８がシリンダ１４のキーアクセスを覆うフラップ４４を保持する。
【００１２】
フラップばね４２がばね力に抗してフラップ４４の閉鎖を維持する。
【００１３】
（ハンド）レバー３６がピン３２によって作動シャフトまたは回転板３４に通常の方法で枢動可能に保持され、凹部３０に回転可能に保持される。
【００１４】
キャップ１２は、それ自体と凹部３０との間にドアパネルを挟持する。
【産業上の利用可能性】
【００１５】
本発明は、制御キャビネット構造に商業的に利用可能である。
【符号の説明】
【００１６】
１０  枢動レバー
１２  キャップ
１４  閉鎖要素
１６  皿ねじ
１８  交換可能インサート
２０  レバーフック
２２  レバーフック、閉鎖面
２４  ピン
２６  脚ばねレバーフック
２８  シャフト用保持リング
３０  凹部
３２  ピン
３４  回転板
３６  レバー
３８  ローレットピン
４０  レバーの閉鎖面
４２  フラップばね
４４  シリンダカバー
４６  ガイド
４８  脚ばねレバー
４９  Ｍ３皿ねじ
５０  レセプタクル
５２  摘み
５３  支持部
【図１】
2020517845.tif 000003
【図２Ａ】
2020517845.tif 000004
【図２Ｂ】
2020517845.tif 000005
【図２Ｃ】
2020517845.tif 000006
【図３Ａ】
2020517845.tif 000007
【図３Ｂ】
2020517845.tif 000008
【図３Ｃ】
2020517845.tif 000009
【図４】
2020517845.tif 000010
【手続補正書】
【提出日】平成30年6月22日(2018.6.22)
【手続補正１】
【補正対象書類名】特許請求の範囲
【補正対象項目名】全文
【補正方法】変更
【補正の内容】
【特許請求の範囲】
【請求項１】
フィンガレバー、プレートシリンダ、プロファイルシリンダ、プロファイルハーフシリンダなど、さまざまな閉鎖要素（１４）のための、枢動レバー（１０）を凹部（３０）にロックするためのモジュール式閉鎖装置であって、前記閉鎖要素（１４）は前記凹部（３０）または前記枢動レバー（１０）に配置されたレセプタクル（５０）に、前方または後方のどちらか一方から、挿入および固締（４９）可能である、閉鎖装置において、前記閉鎖装置は、さまざまなレセプタクル（５０）のために異なるデザインを有する、前記閉鎖装置に適合化された交換可能インサート（１８）を有し、前記閉鎖装置は、前記交換可能インサート（１８）を前記凹部（３０）または前記枢動レバー（１０）に挿入（４６）できるように、および前記交換可能インサート（１４）が挿入された前記凹部（３０）または前記枢動レバー（１０）をドア扉に、前記ドア扉の開口部またはこれに類するものを通して、差し込めるように、更にはキャップ（１２）によって固締できるように、ガイド（４６）と連携し、前記交換可能インサート（１８）は、前記閉鎖装置の表面（２２）に固定的に取り付けられた、したがって常にこれと共に交換される必要がある、レバーフック（２０）を特徴とし、前記閉鎖装置の前記表面（２２）は、対向閉鎖面（４０）と共に前記レバーフック（２０）を閉じ、前記閉鎖装置の前記表面（２２）は、前記閉鎖要素（１４）が前記レバーフック（２０）を作動させるように、ひいては前記レバー（１０）を解放するように、開かれ、前記レバーフック（２０）は脚ばね（２６）によって開始位置に戻されるので、前記閉鎖要素（１４）の更なる作動なしに、前記閉鎖面（４０）が再び閉じられる、モジュール式閉鎖装置。
【請求項２】
前記キャップ（１２）は前記凹部（３０）を前記ドア扉に固締する役割も果たすことを特徴とする、請求項１に記載のモジュール式閉鎖装置。
【手続補正書】
【提出日】令和1年6月5日(2019.6.5)
【手続補正１】
【補正対象書類名】特許請求の範囲
【補正対象項目名】全文
【補正方法】変更
【補正の内容】
【特許請求の範囲】
【請求項１】
フィンガレバー、プレートシリンダ、プロファイルシリンダ、プロファイルハーフシリンダなど、さまざまな閉鎖要素（１４）のための、枢動レバー（１０）を凹部（３０）にロックするためのモジュール式閉鎖装置であって、前記閉鎖要素（１４）は前記凹部（３０）または前記枢動レバー（１０）に配置されたレセプタクル（５０）に、前方または後方のどちらか一方から、挿入および固締可能である、閉鎖装置において、前記閉鎖装置は、さまざまなレセプタクル（５０）のために異なるデザインを有する、前記閉鎖装置に適合化された交換可能インサート（１８）を有し、前記閉鎖装置は、前記交換可能インサート（１８）を前記凹部（３０）または前記枢動レバー（１０）に挿入できるように、および前記交換可能インサート（１８）が挿入された前記凹部（３０）または前記枢動レバー（１０）をドア扉に、前記ドア扉の開口部またはこれに類するものを通して、差し込めるように、更にはキャップ（１２）によって固締できるように、前記交換可能インサート（１８）のガイド（４６）と連携し、前記交換可能インサート（１８）は、前記閉鎖装置の表面（２２）に固定的に取り付けられた、したがって常にこれと共に交換される必要がある、レバーフック（２０）を特徴とし、前記閉鎖装置の前記表面（２２）は、対向閉鎖面（４０）と共に前記レバーフック（２０）を閉じ、前記閉鎖装置の前記表面（２２）は、前記閉鎖要素（１４）が前記レバーフック（２０）を作動させるように、ひいては前記レバー（３６）を解放するように、開かれ、前記レバーフック（２０）は脚ばね（２６）によって開始位置に戻されるので、前記閉鎖要素（１４）の更なる作動なしに、前記レバー（３６）が再び閉じられる、モジュール式閉鎖装置。
【請求項２】
前記キャップ（１２）は前記凹部（３０）を前記ドア扉に固締する役割も果たすことを特徴とする、請求項１に記載のモジュール式閉鎖装置。
【国際調査報告】
2020517845.tif 000011
2020517845.tif 000012
2020517845.tif 000013
2020517845.tif 000014
2020517845.tif 000015
2020517845.tif 000016